(57)【特許請求の範囲】
【請求項１】
画像記録体において、次の構成を有する：
基材；
前記基材上に設けられた受像層；および
前記基材上に設けられた光学変化素子層，
前記光学変化素子層は、少なくとも一部に光学変化像を有し、
前記光学変化像は、前記受像層に受像された情報の上に形成され、
情報の読み取り以外の方向では、前記光学変化像は、前記受像層に記録された前記情報の像と重なって現れ、かつ、情報の読み取りの方向では、前記光学変化像は、前記受像層に記録された前記情報の像と重なって現れないで、前記受像層に記録された前記情報の像のみが現れるように設けられていることを特徴とする画像記録体。
【請求項２】
請求項１の画像記録体において、
前記光学変化素子層には、第１の光学変化像と第２の光学変化像とが形成されており、
前記第１の光学変化像の観賞角と前記第２の光学変化像の観賞角が異なることを特徴とする画像記録体。
【請求項３】
請求項２の画像記録体において、
前記受像層に受像された文字の少なくとも一部の上に、前記第２の光学変化像が形成されていることを特徴とする画像記録体。
【請求項４】
請求項１の画像記録体において、
前記受像層に受像された文字の少なくとも一部の上に、光学変化像が形成され、
前記文学と前記光学変化像が重なって形成されており、
前記光学変化像の下に前記文字が形成されている点の反射率をＭｘ、前記光学変化像の下に前記文字が形成されていない点における反射率をＭｏとしたとき、次の式を満足することを特徴とする画像記録体。
０．３≦（Ｍｏ−Ｍｘ）／Ｍｘ
【請求項５】
基材、前記基材上に情報が記録された受像層、前記基材上に設けられた光学変化素子層を有する画像記録体の前記情報を読み取るための方法において、
次のステップを有する：
前記画像記録体に光を照射し、反射光を前記情報の読み取りの方向から読み取るステップ，
前記光学変化素子層は、少なくとも一部に光学変化像を有し、
前記光学変化像は、前記受像層に受像された情報の上に形成され、
前記光学変化像は、
情報の読み取り以外の方向には、前記受像層に記録された前記情報の像と重なって現れ、
情報の読み取りの方向には、前記受像層に記録された前記情報の像と重なって現れないで、前記受像層に記録された前記情報の像のみが現れるように設けられていることを特徴とする情報読取方法。
【請求項６】
基材、前記基材上に情報が記録された受像層、前記基材上に設けられた光学変化素子層を有する画像記録体の前記情報を読み取るための方法において、
次のステップを有する：
前記画像記録体に光を照射し、反射光を読み取るステップ，
前記光学変化素子層には、少なくとも一部に、光学変化像が形成されており、
前記光学変化像は、前記受像層に受像された情報の上に形成され、
前記反射光を読み取るステップでは、前記光学変化像の観賞角と重ならない角度から前記情報の像の反射光のみを読み取ることを特徴とする情報読取方法。
【発明の詳細な説明】
【０００１】
【発明の属する技術分野】
この発明は、偽造、変造防止等の安全性（セキュリティ）が要求される個人情報等の情報を記憶するカード、あるいはパスポート等に適用して好適な画像記録体及び情報読取方法に関する。
【０００２】
【従来の技術】
近年、例えば銀行、会社、学校及び官公庁等のサービス産業分野では、接触式又は非接触式の電子または磁気等のカードを発行する場合が多くなってきた。これらの分野で使用されるキャッシュカード、従業者証、社員証、会員証、学生証、外国人登録証及び各種免許証等、さらにはパスポートには情報が記録され、さらに容易に偽造、変造できないようにセキュリティ処理が施されている。
【０００３】
例えば、カード基板上にホログラム層を設け、顔写真や氏名、発行日などを容易に模倣されないように特殊な画像が形成されている。この画像は、回折格子像や一般にホログラム像と呼ばれる光学変化像が形成され、このホログラム像は物体から反射又は物体を透過してきた波動と参照波とを重ね合わせて得られる干渉縞によって形成されるものである。このホログラム像によって物体の像が立体的に再現されるものもある。ホログラム層上は光透過性の良いシート状の保護シートによって覆われ、この保護シートにはラミネートなどの透明樹脂が使用され、カード基板よりも強度的に弱いホログラム層を覆うように保護される。
【０００４】
【発明が解決しようとする課題】
このようにカード基板上に情報とホログラム層を設けているが、光学読取装置により情報を反射光を利用して読み取り、例えば買い物、通行、入場等を許可する場合に、ホログラム像が情報と重なり、情報の読み取り誤差になる虞がある。
【０００５】
そこで、この発明は、上述した課題を解決したものであって、光学変化像が情報に重なることをなくし、情報の読み取り精度が向上する画像記録体及び情報読取方法を提供することを目的としている。
【０００６】
【課題を解決するための手段】
前記課題を解決し、かつ目的を達成するために、この発明は、以下のように構成した。
【０００７】
請求項１に記載の発明は、
『画像記録体において、次の構成を有する：
基材；
前記基材上に設けられた受像層；および
前記基材上に設けられた光学変化素子層，
前記光学変化素子層は、少なくとも一部に光学変化像を有し、
前記光学変化像は、前記受像層に受像された情報の上に形成され、
情報の読み取り以外の方向では、前記光学変化像は、前記受像層に記録された前記情報の像と重なって現れ、かつ、情報の読み取りの方向では、前記光学変化像は、前記受像層に記録された前記情報の像と重なって現れないで、前記受像層に記録された前記情報の像のみが現れるように設けられていることを特徴とする画像記録体。』である。
【０００９】
請求項２に記載の発明は、
『請求項１の画像記録体において、
前記光学変化素子層には、第１の光学変化像と第２の光学変化像とが形成されており、
前記第１の光学変化像の観賞角と前記第２の光学変化像の観賞角が異なることを特徴とする画像記録体。』である。
【００１０】
請求項３に記載の発明は、
『請求項２の画像記録体において、前記受像層に受像された文字の少なくとも一部の上に、前記第２の光学変化像が形成されていることを特徴とする画像記録体。』である。
【００１１】
請求項４に記載の発明は、
『請求項１の画像記録体において、前記受像層に受像された文字の少なくとも一部の上に、光学変化像が形成され、前記文学と前記光学変化像が重なって形成されており、前記光学変化像の下に前記文字が形成されている点の反射率をＭｘ、前記光学変化像の下に前記文字が形成されていない点における反射率をＭｏとしたとき、次の式を満足することを特徴とする画像記録体。
【００１２】
０．３≦（Ｍｏ−Ｍｘ）／Ｍｘ』である。
【００１３】
請求項５に記載の発明は、
『基材、前記基材上に情報が記録された受像層、前記基材上に設けられた光学変化素子層を有する画像記録体の前記情報を読み取るための方法において、
次のステップを有する：
前記画像記録体に光を照射し、反射光を前記情報の読み取りの方向から読み取るステップ，
前記光学変化素子層は、少なくとも一部に光学変化像を有し、
前記光学変化像は、前記受像層に受像された情報の上に形成され、
前記光学変化像は、
情報の読み取り以外の方向には、前記受像層に記録された前記情報の像と重なって現れ、
情報の読み取りの方向には、前記受像層に記録された前記情報の像と重なって現れないで、前記受像層に記録された前記情報の像のみが現れるように設けられていることを特徴とする情報読取方法。』である。
【００１５】
請求項６に記載の発明は、
『基材、前記基材上に情報が記録された受像層、前記基材上に設けられた光学変化素子層を有する画像記録体の前記情報を読み取るための方法において、
次のステップを有する：
前記画像記録体に光を照射し、反射光を読み取るステップ，
前記光学変化素子層には、少なくとも一部に、光学変化像が形成されており、
前記光学変化像は、前記受像層に受像された情報の上に形成され、
前記反射光を読み取るステップでは、前記光学変化像の観賞角と重ならない角度から前記情報の像の反射光のみを読み取ることを特徴とする情報読取方法。』である。
【００１６】
この発明の好ましい構成としては、カード基材上に、光学変化素子層、受像層を積層し、受像層に情報を有する画像記録体において、情報を反射光を利用して読み取る光学読取装置により光学変化像が前記情報に重なって現れない所定方向から読み取り可能に光学変化素子層を構成している。光学読取装置により画像記録体の情報を反射光を利用して読み取るときに、所定方向から読み取ることで光学変化素子層の光学変化像が情報に重なって現れないから、情報の読み取り精度が向上する。
【００１７】
また、カード基材上に、光学変化素子層、受像層を積層し、受像層に情報を有する画像記録体は、情報を反射光を利用して読み取り可能に光学変化素子層を構成し、この画像記録体の情報を光学変化像が前記情報に重なって現れない所定方向から光学読取装置の読取部により読み取る。光学読取装置により画像記録体の情報を反射光を利用して読み取るときに、所定方向から読み取ることで光学変化素子層の光学変化像が情報に重なって現れないから、情報の読み取り精度が向上する。画像記録体と読取部を相対的に所定方向へ移動して読み取ることで、光学変化素子層の光学変化像が情報に重なって現れないから、情報の読み取り精度が向上する。
【００１８】
【発明の実施の形態】
以下、この発明の画像記録体及び情報読取方法の実施の形態を図面に基づいて説明するが、この発明はこの実施の形態の説明及び図面に限定されるものではない。
【００１９】
図１は画像記録体を示す平面図、図２は画像記録体の層構成を説明する図である。この実施の形態の画像記録体１は、社員証のカードであり、カード基材１１に光学変化素子層１２、受像層１３を積層し、受像層１３上に保護層１４を設けている。光学変化素子層１２が、透明薄膜層１２ａと片面に刻印を有するホログラム形成層１２ｂとを有し、光学変化像が形成される。
【００２０】
また、光学変化素子層１２に形成される光学変化像は、指向性を有することが好ましく、以下、本明細書における光学変化像は、全て、指向性を有するものとして説明する。そして、光学変化像がホログラム、回折格子、凹凸レリーフ体であることがより偽変造防止の効果があり好ましい。さらにより好ましくは、ホログラム、鱗片画像である。
【００２１】
この画像記録体１は、受像層１３に文字、記号、写真画像等の情報２０が記録され、例えば写真画像が昇華熱転写により、文字、記号が溶融熱転写により記録される。この熱転写記録後、受像層１３、電離放射線硬化層を積層して保護層１４を設けて保護する。電離放射線硬化層は、ＵＶ液を塗布してＵＶ光線を照射して硬化させてＵＶ硬化樹脂層により構成される。
【００２２】
光学変化素子層１２は、情報２０を反射光を利用して読み取る光学読取装置により光学変化像が情報２０に重なって現れない所定方向から読み取り可能に構成されている。
【００２３】
カード基材１１の光学変化素子層側に対して反対側に、筆記層１５を有し、この筆記層１５に筆記することができる。また、カード基材１１は、ＩＣモジュールを内蔵することで、接触式又は非接触式の電子または磁気等のカードに好ましく用いられる。
【００２４】
この画像記録体１の情報２０を図３及び図４に示すように、光学読取装置４０により反射光を利用して読み取る。図３（ａ）は光学読取装置の斜視図、図３（ｂ）は読取部の構成図であり、光学読取装置４０の読取部４１に対して画像記録体１を移動して情報２０を読み取るように構成されている。
【００２５】
図４（ａ）は光学読取装置の斜視図、図４（ｂ）は読取部の構成図であり、光学読取装置５０の読取部５１を画像記録体１に対して移動して情報２０を読み取るように構成されている。
【００２６】
図５は画像記録体を光学読取装置により読み取る時の状態を示し、図５（ａ）の方向から情報２０を反射光を利用して読み取ると、光学変化素子層１２の光学変化像が情報２０に重なって現れないが、図５（ｂ）の方向から情報２０を反射光を利用して読み取ると、光学変化素子層１２の光学変化像６０が情報２０に重なって現れる。
【００２７】
この画像記録体１は、情報２０を反射光を利用して読み取る光学読取装置４０，５０により光学変化像が情報に重なって現れない所定方向から読み取り可能に光学変化素子層を構成しており、光学読取装置４０，５０により画像記録体１の情報２０を反射光を利用して読み取るときに、所定方向から読み取ることで光学変化素子層１２の光学変化像６０が情報に重なって現れないから、情報２０の読み取り精度が向上する。
【００２８】
また、図６に示すように、情報読取装置７０は、載置台７１が回転可能に構成され、この載置台７１の回転により画像記録体１の読み取り方向を変えて読取部７２を移動して情報を読み取るように構成されている。
【００２９】
また、図７に示すように、情報読取装置８０は、載置台８１が回転可能に構成され、この載置台８１の回転により画像記録体１の読み取り方向を変えてＣＣＤカメラで構成される読取部８２を移動して情報を読み取るように構成されている。
【００３０】
このように情報読取装置は、画像記録体１の情報２０を光学変化像が情報２０に重なって現れない所定方向から読み取る読取部を有しており、光学読取装置により画像記録体１の情報２０を反射光を利用して読み取るときに、所定方向から読み取ることで光学変化素子層の光学変化像が情報に重なって現れないから、情報の読み取り精度が向上する。
【００３１】
なお、以上説明した実施形態では、受像層１３とカード基材１１との間に、光学変化素子層１２が設けられている画像記録体１の例を説明したが、これに限らず、カード基材１１上に、受像層１３と光学変化素子層１２とが設けられていれば良い。
【００３２】
また、図８に示すように、カード基材１１上に受像層１３及び光学変化素子層１２が、この順に設けられている構成とすることが、画像記録体１の偽造防止の点で、特に好ましい。
【００３３】
次に、第２の実施形態について説明する。
【００３４】
図９は、図８と同じ層構成を有し、画像情報の記録されている位置のみが図８と異なる画像記録体を示した図である。そして、図１０は、図９の画像記録体を上からみた平面図である。
【００３５】
図１０において、画像記録体１の受像層１３には、情報２０として、画像１０１及び文字１０２が形成されている。そして、ホログラム形成層１２ｂには、ホログラム▲１▼及びホログラム▲２▼が形成されている。
【００３６】
Ａは、文字１０１の長さを、Ｂは、文字の長さ方向のホログラム▲２▼のピッチを、Ｃは、文字１０１の長さ方向とは直交する方向の幅を、Ｄは、ホログラム▲２▼が形成されている幅（文字１０１の長さ方向とは直交する方向）を表している。ここで、ＡをＢよりも大きくすることにより、文字１０１の少なくとも一部において、文字１０１とホログラム▲２▼とが重なり、文字１０１の偽造防止効果を高めることができる。また、ＤがＣより大きいことが偽造防止の点で好ましい。
【００３７】
そして、ホログラム▲１▼とホログラム▲２▼とでは、観賞角が異なる。図１２は、θ1で入射する照明光に対するホログラム▲１▼及びホログラム▲２▼の観賞角を表している。ホログラム▲１▼は、角度θ2近傍の観賞角を有し、ホログラム▲２▼は、角度θ2にかからない角度の観賞角を有する。ここで、観賞角とは、光学変化像の紋様が最も観察されやすい角度をいう。
【００３８】
次に、このようなホログラム▲１▼及びホログラム▲２▼を有する画像記録体１の表面に対し、図１１に示すように、図３の光学読取装置４０の照明光をθ1の角度で画像記録体１に入射させ、画像記録体１から反射された光を画像記録体１の表面となす角度θ2の方向（測光方向）から読み取ることにより、画像記録体１に形成されている文字を読み取る場合について説明する。
【００３９】
文字１０２が形成されている領域は、前記でも説明したように、ホログラム▲２▼と重なっている。そのため、文字１０２を光学読取装置４０で読み取る際、光学読取装置４０の照明光は、文字１０２だけでなく、ホログラム▲２▼にも照射される。
【００４０】
読取部４１は、画像記録体１の表面に対し、θ2の角度（測光方向）から入射する光を読み取る。その際、読取部４１には、光学読取装置４０の照明光が文字情報に照射されることによる光は入射されるが、ホログラム▲２▼に照射されることによる光は入射しない。これは、ホログラム▲２▼の観賞角が、図１２で示されるようにθ2にかからない角度となっているためである。このように、文字１０２の偽造防止のために形成される文字１０２と重ねて形成されるホログラム▲２▼の観賞角を、光学読取装置４０の測光方向θ2にかからないように、ホログラム▲２▼を設計することにより、偽造防止を図りながら、ホログラム▲２▼が形成されていることによる文字１０２の読取不良を低減することができる。
【００４１】
また、ホログラム▲１▼を画像１０１に重ねて設けることにより、画像１０１の偽造を防止することができる。その際、ホログラム▲１▼の観賞角は、θ2近傍であることが好ましい。画像１０１と重なるホログラム▲１▼の観賞角がθ2近傍でも、画像１０１は光学読取装置４０による読み取りを行わないので、光学読取装置４０による読取の妨げにはならない。特に、光学読取装置４０の測光方向、すなわちθ2が図３のように、９０度または９０度近傍である場合には、人間が観察した際に、ホログラム▲１▼が非常に観察しやすいので、人間の視覚による偽造の有無の検査の確度も向上できる。
【００４２】
また、画像１０１に、ホログラム▲１▼を重ねることにより、ホログラム▲１▼が割り印の効果をもたらし、さらに偽造防止の効果を向上させることができる。
【００４３】
以上、本実施形態では、情報の少なくとも一部と重なるホログラムが設けられた画像記録体１において、光学読取装置の測光方向にかからない観賞角を有するホログラム▲２▼と、光学読取装置の測光方向にかかる観賞角を有するホログラム▲２▼とを有するので、高い偽造防止効果を得られる。
【００４４】
また、文字と重なるホログラムの観賞角を光学読取装置の測光方向にかからない角度とすることにより、偽造防止を図りながら、文字の読取精度を向上させることができる。
【００４５】
なお、本実施形態においても、光学変化素子層１２として、ホログラム以外の第１の実施形態で説明した種々のものを用いることができる。
【００４６】
また、本実施形態では、図１１のように照明光があてられている場合、図１２で示されているように、光学読取装置による測光角度（本実施形態では９０度）におけるホログラム▲２▼の輝度とバックグランドの輝度との差が０になっているが、光学読取装置により読み取りたい情報の読取の妨げにならない程度に、輝度を有していもよい。例えば、測光角度６０〜１２０度におけるホログラム▲２▼の輝度とバックグラウンドの輝度との差が、文字とバックグラウンドの輝度差の７５％以下であれば、光学読取装置による読取の妨げになることを抑制でき、高精度な読取を実現できる。
【００４７】
次に、第３の実施形態について説明する。
【００４８】
本実施形態においては、第２の実施形態と異なる点のみ説明する。
【００４９】
図１０の画像記録体１において、文字１０２と重なるホログラム▲２▼に光学読取装置４０の照明光が入射することにより生じる反射光の波長が、光学読取装置４０の測光波長を含まないように、ホログラム▲２▼が設計されている。そして、画像１０１と重なるホログラム▲１▼に光学読取装置４０の照明光が入射することにより生じる反射光の波長が、光学読取装置４０の測光波長を含むように、ホログラム▲１▼が設計されている。
【００５０】
このようにホログラム▲１▼及びホログラム▲２▼を設計することにより、光学読取装置４０により、画像記録体１に形成されている文字を読み取る場合に、ホログラムが形成されていることによる読取精度の低下を抑制することができる。また、画像記録体１には、光学読取装置４０により検出することができるホログラムも設けられているので、偽造防止を図ることができる。さらに、本実施形態では、光学読取装置４０の測光波長を含む反射光波長を有するホログラムが、画像と重ねて設けられているので、画像部分の偽造防止効果が高い。
【００５１】
次に、第４の実施形態について説明する。
【００５２】
図１３は、画像記録体の層構成を説明する図であり、図１４は、その平面図である。情報２０の上には、光学変化素子層１２のホログラム形成層１２ｂに、ホログラムが形成されているので、画像記録体１の偽造防止を図ることができる。そして、ホログラム形成層１２ｂのホログラムは、次の（１）式を満たすように形成されている。
【００５３】
光学変化素子層１２に、光学変化模様（本実施形態では、ホログラム）が形成されている領域において、光学変化模様の下に文字１０１が形成されている点Ｐにおける反射率をＭｘ、光学変化模様の下に文字１０１が形成されていない点Ｑにおける反射率をＭｏとしたとき、０．３≦（Ｍｏ−Ｍｘ）／Ｍｘ・・・（１）
また、図１４の線Ｃ上の各点の反射率を測定した結果を図１５に示す。
【００５４】
このような（１）式を満たすように光学変化模様が形成されることにより、画像記録体１に記録されている文字１０１を光学読取装置により読み取る場合でも、文字１０１上に光学変化模様が形成されていることによる文字１０１の読取精度の低下を防止することができる。さらに、好ましくは、０．４以上である。
【００５５】
ここで、Ｍｏ及びＭｘは、同一の画像記録体上において、２０箇所以上において測定された値の平均値である。
【００５６】
また、反射率は、次のような測定方法により、測定することができる。照明光の波長を約６８０ｎｍとし、画像記録体から反射される光を、光度計で、その反射光量を測定する。そして、反射光量／入射光量を反射率とする。
【００５７】
【発明の効果】
前記したように、請求項１乃至請求項８に記載の発明では、画像記録体の情報を反射光を利用して読み取るときに、所定方向から読み取ることで光学変化素子層の光学変化像が情報に重なって現れないから、情報の読み取り精度が向上する。
【図面の簡単な説明】
【図１】画像記録体を示す平面図である。
【図２】画像記録体の層構成を説明する図である。
【図３】光学読取装置による読み取りを示す図である。
【図４】他の光学読取装置による読み取りを示す図である。
【図５】画像記録体を光学読取装置により読み取る時の状態を示す図である。
【図６】他の光学読取装置による読み取りを示す図である。
【図７】他の光学読取装置による読み取りを示す図である。
【図８】他の実施形態の画像記録体の層構成を説明する図である。
【図９】他の実施形態の画像記録体の層構成を説明する図である。
【図１０】図９の画像記録体を上からみた平面図である。
【図１１】照明光があてられている場合の画像記録体の読み取りを示す図である。
【図１２】光学読取装置による測光角度におけるホログラム▲２▼及びホログラム▲１▼の鑑賞角を示す図である。
【図１３】他の実施形態の画像記録体の層構成を説明する図である。
【図１４】図１３の画像記録体を上からみた一部の平面図である。
【図１５】図１４の線Ｃ上の各点の反射率を測定した結果を示す図である。
【符号の説明】
１  画像記録体
１１  カード基材
１２  光学変化素子層
１３  受像層
２０  情報
６０  光学変化像
４０，５０，７０，８０  光学読取装置
【図１】
0004243914.tif 000002
【図２】
0004243914.tif 000003
【図３】
0004243914.tif 000004
【図４】
0004243914.tif 000005
【図５】
0004243914.tif 000006
【図６】
0004243914.tif 000007
【図７】
0004243914.tif 000008
【図８】
0004243914.tif 000009
【図９】
0004243914.tif 000010
【図１０】
0004243914.tif 000011
【図１１】
0004243914.tif 000012
【図１２】
0004243914.tif 000013
【図１３】
0004243914.tif 000014
【図１４】
0004243914.tif 000015
【図１５】
0004243914.tif 000016